【手続補正書】
【提出日】平成29年8月22日(2017.8.22)
【手続補正１】
【補正対象書類名】特許請求の範囲
【補正対象項目名】全文
【補正方法】変更
【補正の内容】
【特許請求の範囲】
【請求項１】
複数のシンクデバイスにマルチメディアコンテンツを送信するようにソースデバイスとして構成された装置であって、
第１のグループ中の第１のシンクデバイスとの第１のＷｉ−Ｆｉピアツーピア接続と、第２のグループ中の第２のシンクデバイスとの第２のＷｉ−Ｆｉピアツーピア接続とを行うことによって、前記ソースデバイスを前記複数のシンクデバイスに接続することと、
前記ソースデバイスにおいて第１のグループセッションＩＤと第１のトランスポートポート番号とを含む第１の制御メッセージを生成することと、前記第１のトランスポートポート番号が、前記第１のグループに、前記第１のグループに関連付けられた特定のマルチメディアコンテンツを通信するために使用されるべきものであり、前記第１のグループセッションＩＤが、前記第１のグループとのグループセッションを自律的に開始するために前記ソースによって使用される、
前記ソースデバイスにおいて第２のグループセッションＩＤと第２のトランスポートポート番号とを含む第２の制御メッセージを生成することと、前記第２のトランスポートポート番号が、前記第２のグループに、前記第２のグループに関連付けられた特定のマルチメディアコンテンツを通信するために使用されるべきものであり、前記第２のグループセッションＩＤが、前記第２のグループとのグループセッションを自律的に開始するために前記ソースによって使用される、
前記第１のグループの能力に基づいて、前記第１のグループセッションＩＤに関連付けられた前記Ｗｉ−Ｆｉピアツーピア接続されたシンクデバイスのためのストリーミングパラメータのセットを決定することと、
前記第２のグループの能力に基づいて、前記第２のグループセッションＩＤに関連付けられた前記Ｗｉ−Ｆｉピアツーピア接続されたシンクデバイスのためのストリーミングパラメータのセットを決定することと
を行うように構成されたプロセッサと、
前記第１のグループ中の前記Ｗｉ−Ｆｉピアツーピア接続されたシンクデバイスの各々に前記第１の制御メッセージを送信することと、
前記第２のグループ中の前記Ｗｉ−Ｆｉピアツーピア接続されたシンクデバイスの各々に前記第２の制御メッセージを送信することと、
前記第１のトランスポートポート番号を使用して、および前記第１のグループに関連付けられたストリーミングパラメータの前記セットに従って、前記第１のグループの前記Ｗｉ−Ｆｉピアツーピア接続されたシンクデバイスに前記特定のマルチメディアコンテンツを送信することと、
前記第２のトランスポートポート番号を使用して、および前記第２のグループに関連付けられたストリーミングパラメータの前記セットに従って、前記第２のグループの前記Ｗｉ−Ｆｉピアツーピア接続されたシンクデバイスに前記特定のマルチメディアコンテンツを送信することと
を行うように構成された送信機とを
備える、装置。
【請求項２】
ストリーミングパラメータの前記セットが、コーデック情報、ディスプレイ解像度、ビデオフォーマット、またはオーディオフォーマットのうち１つ、あるいはそれらの組合せを含む、請求項１に記載の装置。
【請求項３】
前記第１および第２の制御メッセージが各々、マルチキャスト構成、ユニキャスト構成、またはコンテンツストリーミングのためのグループＭＡＣアドレスを含むグループキャスト構成のうちの１つ、あるいはそれらの組合せを含む、請求項１に記載の装置。
【請求項４】
前記特定のマルチメディアコンテンツの前記送信が、マルチキャストフレーム配信技法を使用することによって行われる、請求項１に記載の装置。
【請求項５】
前記マルチキャストフレーム配信技法が、８０２．１１ａａ規格の肯定応答および再試行プロシージャに基づく、請求項４に記載の装置。
【請求項６】
前記プロセッサは、
前記Ｗｉ−Ｆｉピアツーピア接続上で前記第１のグループとの前記グループセッションを確立および維持することと、
接続されていないシンクデバイスが前記第１のグループセッションＩＤに関連付けられることを可能にするために、前記接続されていないシンクデバイスに、前記第１のグループセッションＩＤ、前記第１のトランスポートポート情報、およびスチーミングパラメータのセットをブロードキャストするための制御メッセージング方式を確立することと
を行うようにさらに構成された、請求項１に記載の装置。
【請求項７】
前記プロセッサが、あらかじめ決定された時間間隔で、前記第１のグループセッションＩＤ、前記第１のトランスポートポート情報、およびスチーミングパラメータの前記セットを周期的にブロードキャストするようにさらに構成された、請求項１に記載の装置。
【請求項８】
前記プロセッサが、前記特定のマルチメディアコンテンツを要求する前記第１のグループおよび前記第２のグループの前記Ｗｉ−Ｆｉピアツーピア接続されたシンクデバイスの各々から前記能力を受信するようにさらに構成された、請求項１に記載の装置。
【請求項９】
前記プロセッサが、前記装置において開始された要求、または前記シンクデバイスにおいて開始された要求のうちの１つに基づいて、前記関連付けられたグループセッションＩＤから前記Ｗｉ−Ｆｉピアツーピア接続されたシンクデバイスのうちの１つまたは複数を追加または削除することと、
前記シンクデバイスの不十分な能力に基づいて、前記関連付けられたグループセッションＩＤから前記Ｗｉ−Ｆｉピアツーピア接続されたシンクデバイスのうちの１つまたは複数を追加または削除することと
を行うようにさらに構成された、請求項１に記載の装置。
【請求項１０】
前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、請求項９に記載の装置。
【請求項１１】
前記特定のマルチメディアコンテンツ、前記グループセッションＩＤ、セッションタイプ、前記トランスポートポート情報、およびストリーミングパラメータの前記セットのうちの少なくとも１つが、デバイスの前記第１および第２のグループについて異なる、請求項１に記載の装置。
【請求項１２】
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、請求項１に記載の装置。
【請求項１３】
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、請求項１２に記載の装置。
【請求項１４】
複数のシンクデバイスにマルチメディアコンテンツを送信する方法であって、
第１のグループ中の第１のシンクデバイスとの第１のＷｉ−Ｆｉピアツーピア接続と、第２のグループ中の第２のシンクデバイスとの第２のＷｉ−Ｆｉピアツーピア接続とを行うことによって、ソースデバイスを前記複数のシンクデバイスに接続することと、
前記ソースデバイスにおいて第１のグループセッションＩＤと第１のトランスポートポート番号とを含む第１の制御メッセージを生成することと、前記第１のトランスポートポート番号が、前記第１のグループに、前記第１のグループに関連付けられた特定のマルチメディアコンテンツを通信するために使用されるべきものであり、前記第１のグループセッションＩＤが、前記第１のグループとのグループセッションを自律的に開始するために前記ソースによって使用される、
前記ソースデバイスにおいて第２のグループセッションＩＤと第２のトランスポートポート番号とを含む第２の制御メッセージを生成することと、前記第２のトランスポートポート番号が、前記第２のグループに、前記第２のグループに関連付けられた特定のマルチメディアコンテンツを通信するために使用されるべきものであり、前記第２のグループセッションＩＤが、前記第２のグループとのグループセッションを自律的に開始するために前記ソースによって使用される、
前記第１のグループの能力に基づいて、前記第１のグループセッションＩＤに関連付けられた前記Ｗｉ−Ｆｉピアツーピア接続されたシンクデバイスのためのストリーミングパラメータのセットを決定することと、
前記第２のグループの能力に基づいて、前記第２のグループセッションＩＤに関連付けられた前記Ｗｉ−Ｆｉピアツーピア接続されたシンクデバイスのためのストリーミングパラメータのセットを決定することと、
前記第１のグループ中の前記Ｗｉ−Ｆｉピアツーピア接続されたシンクデバイスの各々に前記第１の制御メッセージを送信することと、
前記第２のグループ中の前記Ｗｉ−Ｆｉピアツーピア接続されたシンクデバイスの各々に前記第２の制御メッセージを送信することと、
前記第１のトランスポートポート番号を使用して、および前記第１のグループに関連付けられたストリーミングパラメータの前記セットに従って、前記第１のグループの前記Ｗｉ−Ｆｉピアツーピア接続されたシンクデバイスに前記特定のマルチメディアコンテンツを送信することと、
前記第２のトランスポートポート番号を使用して、および前記第２のグループに関連付けられたストリーミングパラメータの前記セットに従って、前記第２のグループの前記Ｗｉ−Ｆｉピアツーピア接続されたシンクデバイスに前記特定のマルチメディアコンテンツを送信することと
を備える、方法。
【請求項１５】
前記Ｗｉ−Ｆｉピアツーピア接続上で前記第１のグループとの前記グループセッションを確立および維持することと、
接続されていないシンクデバイスが前記第１のグループセッションＩＤに関連付けられることを可能にするために、前記接続されていないシンクデバイスに、前記第１のグループセッションＩＤ、前記第１のトランスポートポート情報、およびストリーミングパラメータのセットをブロードキャストするための制御メッセージング方式を確立することと
をさらに備える、請求項１４に記載の方法。
【請求項１６】
前記ソースデバイスにおいて開始された要求、または前記シンクデバイスにおいて開始された要求のうちの１つに基づいて、前記関連付けられたグループセッションＩＤから前記Ｗｉ−Ｆｉピアツーピア接続されたシンクデバイスのうちの１つまたは複数を追加または削除することと、
前記シンクデバイスの不十分な能力に基づいて、前記関連付けられたグループセッションＩＤから前記Ｗｉ−Ｆｉピアツーピア接続されたシンクデバイスのうちの１つまたは複数を追加または削除することと
をさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、請求項１４に記載の方法。
【請求項１７】
前記特定のマルチメディアコンテンツ、前記グループセッションＩＤ、セッションタイプ、前記トランスポートポート情報、およびストリーミングパラメータの前記セットのうちの少なくとも１つが、デバイスの前記第１および第２のグループについて異なる、請求項１４に記載の方法。
【請求項１８】
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記ソースデバイスのグループセッション能力の指示、グループセッション管理制御ポートデータのセット、グループセッションタイプ、およびコンテンツストリーミングのために使用されるべきストリーミングパラメータのセットを備える、請求項１４に記載の方法。
【請求項１９】
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、請求項１８に記載の方法。
【請求項２０】
複数のシンクデバイスにマルチメディアコンテンツをソースデバイスとして送信するための装置であって、
第１のグループ中の第１のシンクデバイスとの第１のＷｉ−Ｆｉピアツーピア接続と、第２のグループ中の第２のシンクデバイスとの第２のＷｉ−Ｆｉピアツーピア接続とを行うことによって、前記ソースデバイスを前記複数のシンクデバイスに接続するための手段と、
前記ソースデバイスにおいて第１のグループセッションＩＤと第１のトランスポートポート番号とを含む第１の制御メッセージを生成するための手段と、前記第１のトランスポートポート番号が、前記第１のグループに、前記第１のグループに関連付けられた特定のマルチメディアコンテンツを通信するために使用されるべきものであり、前記第１のグループセッションＩＤが、前記第１のグループとのグループセッションを自律的に開始するために前記ソースによって使用される、
前記ソースデバイスにおいて第２のグループセッションＩＤと第２のトランスポートポート番号とを含む第２の制御メッセージを生成するための手段と、前記第２のトランスポートポート番号が、前記第２のグループに、前記第２のグループに関連付けられた特定のマルチメディアコンテンツを通信するために使用されるべきものであり、前記第２のグループセッションＩＤが、前記第２のグループとのグループセッションを自律的に開始するために前記ソースによって使用される、
前記第１のグループの能力に基づいて、前記第１のグループセッションＩＤに関連付けられた前記Ｗｉ−Ｆｉピアツーピア接続されたシンクデバイスのためのストリーミングパラメータのセットを決定するための手段と、
前記第２のグループの能力に基づいて、前記第２のグループセッションＩＤに関連付けられた前記Ｗｉ−Ｆｉピアツーピア接続されたシンクデバイスのためのストリーミングパラメータのセットを決定するための手段と、
前記第１のグループ中の前記Ｗｉ−Ｆｉピアツーピア接続されたシンクデバイスの各々に前記第１の制御メッセージを送信するための手段と、
前記第２のグループ中の前記Ｗｉ−Ｆｉピアツーピア接続されたシンクデバイスの各々に前記第２の制御メッセージを送信するための手段と、
前記第１のトランスポートポート番号を使用して、および前記第１のグループに関連付けられたストリーミングパラメータの前記セットに従って、前記第１のグループの前記Ｗｉ−Ｆｉピアツーピア接続されたシンクデバイスに前記特定のマルチメディアコンテンツを送信するための手段と、
前記第１のトランスポートポート番号を使用して、および前記第１のグループに関連付けられたストリーミングパラメータの前記セットに従って、前記第１のグループの前記Ｗｉ−Ｆｉピアツーピア接続されたシンクデバイスに前記特定のマルチメディアコンテンツを送信するための手段と
を備える、装置。
【請求項２１】
前記Ｗｉ−Ｆｉピアツーピア接続上で前記第１のグループとの前記グループセッションを確立および維持するための手段と、
接続されていないシンクデバイスが前記第１のグループセッションＩＤに関連付けられることを可能にするために、前記接続されていないシンクデバイスに、前記第１のグループセッションＩＤ、前記第１のトランスポートポート情報、およびストリーミングパラメータのセットをブロードキャストするための制御メッセージング方式を確立するための手段と
をさらに備える、請求項２０に記載の装置。
【請求項２２】
前記ソースデバイスにおいて開始された要求、または前記シンクデバイスにおいて開始された要求のうちの１つに基づいて、前記関連付けられたグループセッションＩＤから前記Ｗｉ−Ｆｉピアツーピア接続されたシンクデバイスのうちの１つまたは複数を追加または削除することと、
前記シンクデバイスの不十分な能力に基づいて、前記関連付けられたグループセッションＩＤから前記Ｗｉ−Ｆｉピアツーピア接続されたシンクデバイスのうちの１つまたは複数を追加または削除するための手段と
をさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、請求項２０に記載の装置。
【請求項２３】
前記特定のマルチメディアコンテンツ、前記グループセッションＩＤ、セッションタイプ、前記トランスポートポート情報、およびストリーミングパラメータの前記セットのうちの少なくとも１つが、デバイスの前記第１および第２のグループについて異なる、請求項２０に記載の装置。
【請求項２４】
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、請求項２０に記載の装置。
【請求項２５】
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、請求項２４に記載の装置。
【請求項２６】
実行されたとき、複数のシンクデバイスにマルチメディアコンテンツを送信することと、
第１のグループ中の第１のシンクデバイスとの第１のＷｉ−Ｆｉピアツーピア接続と、第２のグループ中の第２のシンクデバイスとの第２のＷｉ−Ｆｉピアツーピア接続とを行うことによって、ソースデバイスを前記複数のシンクデバイスに接続することと、
前記ソースデバイスにおいて第１のグループセッションＩＤと第１のトランスポートポート番号とを含む第１の制御メッセージを生成することと、前記第１のトランスポートポート番号が、前記第１のグループに、前記第１のグループに関連付けられた特定のマルチメディアコンテンツを通信するために使用されるべきものであり、前記第１のグループセッションＩＤが、前記第１のグループとのグループセッションを自律的に開始するために前記ソースによって使用される、
前記ソースデバイスにおいて第２のグループセッションＩＤと第２のトランスポートポート番号とを含む第２の制御メッセージを生成することと、前記第２のトランスポートポート番号が、前記第２のグループに、前記第２のグループに関連付けられた特定のマルチメディアコンテンツを通信するために使用されるべきものであり、前記第２のグループセッションＩＤが、前記第２のグループとのグループセッションを自律的に開始するために前記ソースによって使用される、
前記第１のグループの能力に基づいて、前記第１のグループセッションＩＤに関連付けられた前記Ｗｉ−Ｆｉピアツーピア接続されたシンクデバイスのためのストリーミングパラメータのセットを決定することと、
前記第２のグループの能力に基づいて、前記第２のグループセッションＩＤに関連付けられた前記Ｗｉ−Ｆｉピアツーピア接続されたシンクデバイスのためのストリーミングパラメータのセットを決定することと、
前記第１のグループ中の前記Ｗｉ−Ｆｉピアツーピア接続されたシンクデバイスの各々に前記第１の制御メッセージを送信することと、
前記第２のグループ中の前記Ｗｉ−Ｆｉピアツーピア接続されたシンクデバイスの各々に前記第２の制御メッセージを送信することと、
前記第１のトランスポートポート番号を使用して、および前記第１のグループに関連付けられたストリーミングパラメータの前記セットに従って、前記第１のグループの前記Ｗｉ−Ｆｉピアツーピア接続されたシンクデバイスに前記特定のマルチメディアコンテンツを送信することと、
前記第２のトランスポートポート番号を使用して、および前記第２のグループに関連付けられたストリーミングパラメータの前記セットに従って、前記第２のグループの前記Ｗｉ−Ｆｉピアツーピア接続されたシンクデバイスに前記特定のマルチメディアコンテンツを送信することと
を前記ソースデバイスとして構成された装置に行わせるコードを備える非一時的コンピュータ可読媒体。
【請求項２７】
実行されたとき、前記ソースデバイスにおいて開始された要求、または前記シンクデバイスにおいて開始された要求のうちの１つに基づいて、前記関連付けられたグループセッションＩＤから前記Ｗｉ−Ｆｉピアツーピア接続されたシンクデバイスのうちの１つまたは複数を追加または削除することと、
前記シンクデバイスの不十分な能力に基づいて、前記関連付けられたグループセッションＩＤから前記Ｗｉ−Ｆｉピアツーピア接続されたシンクデバイスのうちの１つまたは複数を追加または削除することと
を装置に行わせるコードをさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、請求項２６に記載の媒体。
【請求項２８】
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記ソースデバイスのグループセッション能力の指示、グループセッション管理制御ポートデータのセット、グループセッションタイプ、およびコンテンツストリーミングのために使用されるべきストリーミングパラメータのセットを備える、請求項２６に記載の媒体。
【請求項２９】
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、請求項２８に記載の媒体。
【手続補正２】
【補正対象書類名】明細書
【補正対象項目名】０１７５
【補正方法】変更
【補正の内容】
【０１７５】
[00192]上記で説明した実施形態の様々な変更は容易に明らかになるものであり、本明細書で定義した一般原理は、本発明の趣旨または範囲から逸脱することなく他の実施形態に適用され得る。したがって、本発明は、本明細書で示した実施形態に限定されるものではなく、本明細書で開示する原理および新規の特徴に合致する最も広い範囲を与えられるべきである。
以下に本願の出願当初の特許請求の範囲に記載された発明を付記する。
［Ｃ１］
複数のシンクデバイスにマルチメディアコンテンツを送信するように構成された装置であって、
Ｗｉ−Ｆｉピアツーピア接続を用いて前記複数のシンクデバイスの各々に接続することと、
特定のマルチメディアコンテンツを要求する前記Ｗｉ−Ｆｉピアツーピア接続されたシンクデバイスの各々から能力情報を受信することと、
グループセッションＩＤとトランスポートポート番号とを含む制御メッセージを生成することと、前記トランスポートポート番号が、前記Ｗｉ−Ｆｉピアツーピア接続されたシンクデバイスの各々に、グループに関連付けられた前記特定のマルチメディアコンテンツを通信するために使用されるべきものである、
前記Ｗｉ−Ｆｉピアツーピア接続されたシンクデバイスの各々に前記制御メッセージを送信することと、
前記グループセッションＩＤに関連付けられた前記Ｗｉ−Ｆｉピアツーピア接続されたシンクデバイスのためのストリーミングパラメータのセットを決定することと、
前記トランスポートポート番号を使用して、およびストリーミングパラメータの前記セットに従って、前記Ｗｉ−Ｆｉピアツーピア接続されたシンクデバイスの各々に前記特定のマルチメディアコンテンツを送信することと
を行うように構成されたプロセッサを備える、装置。
［Ｃ２］
ストリーミングパラメータの前記セットが、コーデック情報、ディスプレイ解像度、ビデオフォーマット、およびオーディオフォーマットのうちの少なくとも１つを含む、Ｃ１に記載の装置。
［Ｃ３］
前記制御メッセージが、マルチキャスト構成、ユニキャスト構成、およびコンテンツストリーミングのためのグループＭＡＣアドレスを含む信頼できるグループキャスト構成のうちの少なくとも１つをも含む、Ｃ１に記載の装置。
［Ｃ４］
前記特定のマルチメディアコンテンツの前記送信が、ロバストなマルチキャストフレーム配信技法を使用することによって行われる、Ｃ１に記載の装置。
［Ｃ５］
前記ロバストなマルチキャストフレーム配信技法が、８０２．１１ａａ規格の肯定応答および再試行プロシージャに基づく、Ｃ４に記載の装置。
［Ｃ６］
前記プロセッサは、
前記複数のシンクデバイスのうちのいくつかへの前記Ｗｉ−Ｆｉピアツーピア接続上でグループセッションを確立および維持することと、
接続されていないシンクデバイスが前記グループセッションＩＤに関連付けられることを可能にするために、前記接続されていないシンクデバイスに、前記グループセッションＩＤ、ポート情報、およびスチーミングパラメータのセットをブロードキャストするための制御メッセージング方式を確立することと
を行うようにさらに構成された、Ｃ１に記載の装置。
［Ｃ７］
前記プロセッサが、あらかじめ決定された時間間隔で、前記グループセッションＩＤ、ポート情報、およびスチーミングパラメータの前記セットを周期的にブロードキャストするようにさらに構成された、Ｃ１に記載の装置。
［Ｃ８］
前記プロセッサが、前記制御メッセージまたは後続の制御メッセージを送信する前に、あらかじめ決定された時間量の間、前記Ｗｉ−Ｆｉピアツーピア接続されたシンクデバイスの各々から前記能力情報を受信することを待つようにさらに構成された、Ｃ１に記載の装置。
［Ｃ９］
前記プロセッサが、
前記Ｗｉ−Ｆｉピアツーピア接続されたシンクデバイスの各々からの能力情報の前記受信することをバイパスすることと、
コンテンツストリーミングのためのグループセッションパラメータのあらかじめ決定されたセットを用いて前記制御メッセージを直ちに生成することと
を行うようにさらに構成された、Ｃ１に記載の装置。
［Ｃ１０］
前記プロセッサが、前記装置において開始された要求、前記シンクデバイスにおいて開始された要求、および前記シンクデバイスの不十分な能力のうちの少なくとも１つに基づいて、前記関連付けられたグループセッションＩＤから前記Ｗｉ−Ｆｉピアツーピア接続されたシンクデバイスのうちの１つまたは複数を追加または削除するようにさらに構成された、Ｃ１に記載の装置。
［Ｃ１１］
前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、Ｃ１０に記載の装置。
［Ｃ１２］
前記プロセッサが、デバイスの複数のグループとのＷｉ−Ｆｉピアツーピア接続を確立するようにさらに構成され、ここにおいて、前記特定のマルチメディアコンテンツ、前記グループセッションＩＤ、セッションタイプ、ポート情報、およびストリーミングパラメータの前記セットのうちの少なくとも１つが、デバイスの前記グループの各々について異なる、Ｃ１に記載の装置。
［Ｃ１３］
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、Ｃ１に記載の装置。
［Ｃ１４］
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、Ｃ１３に記載の装置。
［Ｃ１５］
複数のシンクデバイスにマルチメディアコンテンツを送信する方法であって、
Ｗｉ−Ｆｉピアツーピア接続を用いて前記複数のシンクデバイスの各々に接続することと、
特定のマルチメディアコンテンツを要求する前記Ｗｉ−Ｆｉピアツーピア接続されたシンクデバイスの各々から能力情報を受信することと、
グループセッションＩＤとトランスポートポート番号とを含む制御メッセージを生成することと、前記トランスポートポート番号が、前記Ｗｉ−Ｆｉピアツーピア接続されたシンクデバイスの各々に、グループに関連付けられた前記特定のマルチメディアコンテンツを通信するために使用されるべきものである、
前記Ｗｉ−Ｆｉピアツーピア接続されたシンクデバイスの各々に前記制御メッセージを送信することと、
前記グループセッションＩＤに関連付けられた前記Ｗｉ−Ｆｉピアツーピア接続されたシンクデバイスのためのストリーミングパラメータのセットを決定することと、
前記トランスポートポート番号を使用して、およびストリーミングパラメータの前記セットに従って、前記Ｗｉ−Ｆｉピアツーピア接続されたシンクデバイスの各々に前記特定のマルチメディアコンテンツを送信することと
を備える、方法。
［Ｃ１６］
前記複数のシンクデバイスのうちのいくつかへの前記Ｗｉ−Ｆｉピアツーピア接続上でグループセッションを確立および維持することと、
接続されていないシンクデバイスが前記グループセッションＩＤに関連付けられることを可能にするために、前記接続されていないシンクデバイスに、前記グループセッションＩＤ、ポート情報、およびストリーミングパラメータのセットをブロードキャストするための制御メッセージング方式を確立することと
をさらに備える、Ｃ１５に記載の方法。
［Ｃ１７］
前記装置において開始された要求、前記シンクデバイスにおいて開始された要求、および前記シンクデバイスの不十分な能力のうちの少なくとも１つに基づいて、前記関連付けられたグループセッションＩＤから前記Ｗｉ−Ｆｉピアツーピア接続されたシンクデバイスのうちの１つまたは複数を追加または削除することをさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、Ｃ１５に記載の方法。
［Ｃ１８］
デバイスの複数のグループとのＷｉ−Ｆｉピアツーピア接続を確立することをさらに備え、ここにおいて、前記特定のマルチメディアコンテンツ、前記グループセッションＩＤ、セッションタイプ、ポート情報、およびストリーミングパラメータの前記セットのうちの少なくとも１つが、デバイスの前記グループの各々について異なる、Ｃ１５に記載の方法。
［Ｃ１９］
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、Ｃ１５に記載の方法。
［Ｃ２０］
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、Ｃ１９に記載の方法。
［Ｃ２１］
複数のシンクデバイスにマルチメディアコンテンツを送信するための装置であって、
Ｗｉ−Ｆｉピアツーピア接続を用いて前記複数のシンクデバイスの各々に接続するための手段と、
特定のマルチメディアコンテンツを要求する前記Ｗｉ−Ｆｉピアツーピア接続されたシンクデバイスの各々から能力情報を受信するための手段と、
グループセッションＩＤとトランスポートポート番号とを含む制御メッセージを生成するための手段と、前記トランスポートポート番号が、前記Ｗｉ−Ｆｉピアツーピア接続されたシンクデバイスの各々に、グループに関連付けられた前記特定のマルチメディアコンテンツを通信するために使用されるべきものである、
前記Ｗｉ−Ｆｉピアツーピア接続されたシンクデバイスの各々に前記制御メッセージを送信するための手段と、
前記グループセッションＩＤに関連付けられた前記Ｗｉ−Ｆｉピアツーピア接続されたシンクデバイスのためのストリーミングパラメータのセットを決定するための手段と、
前記トランスポートポート番号を使用して、およびストリーミングパラメータの前記セットに従って、前記Ｗｉ−Ｆｉピアツーピア接続されたシンクデバイスの各々に前記特定のマルチメディアコンテンツを送信するための手段と
を備える、装置。
［Ｃ２２］
前記複数のシンクデバイスのうちのいくつかへの前記Ｗｉ−Ｆｉピアツーピア接続上でグループセッションを確立および維持するための手段と、
接続されていないシンクデバイスが前記グループセッションＩＤに関連付けられることを可能にするために、前記接続されていないシンクデバイスに、前記グループセッションＩＤ、ポート情報、およびストリーミングパラメータのセットをブロードキャストするための制御メッセージング方式を確立するための手段と
をさらに備える、Ｃ２１に記載の装置。
［Ｃ２３］
前記装置において開始された要求、前記シンクデバイスにおいて開始された要求、および前記シンクデバイスの不十分な能力のうちの少なくとも１つに基づいて、前記関連付けられたグループセッションＩＤから前記Ｗｉ−Ｆｉピアツーピア接続されたシンクデバイスのうちの１つまたは複数を追加または削除するための手段をさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、Ｃ２１に記載の装置。
［Ｃ２４］
デバイスの複数のグループとのＷｉ−Ｆｉピアツーピア接続を確立するための手段をさらに備え、ここにおいて、前記特定のマルチメディアコンテンツ、前記グループセッションＩＤ、セッションタイプ、ポート情報、およびストリーミングパラメータの前記セットのうちの少なくとも１つが、デバイスの前記グループの各々について異なる、Ｃ２１に記載の装置。
［Ｃ２５］
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、Ｃ２１に記載の装置。
［Ｃ２６］
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、Ｃ２５に記載の装置。
［Ｃ２７］
実行されたとき、複数のシンクデバイスにマルチメディアコンテンツを送信することと、
Ｗｉ−Ｆｉピアツーピア接続を用いて前記複数のシンクデバイスの各々に接続することと、
特定のマルチメディアコンテンツを要求する前記Ｗｉ−Ｆｉピアツーピア接続されたシンクデバイスの各々から能力情報を受信することと、
グループセッションＩＤとトランスポートポート番号とを含む制御メッセージを生成することと、前記トランスポートポート番号が、前記Ｗｉ−Ｆｉピアツーピア接続されたシンクデバイスの各々に、グループに関連付けられた前記特定のマルチメディアコンテンツを通信するために使用されるべきものである、
前記Ｗｉ−Ｆｉピアツーピア接続されたシンクデバイスの各々に前記制御メッセージを送信することと、
前記グループセッションＩＤに関連付けられた前記Ｗｉ−Ｆｉピアツーピア接続されたシンクデバイスのためのストリーミングパラメータのセットを決定することと、
前記トランスポートポート番号を使用して、およびストリーミングパラメータの前記セットに従って、前記Ｗｉ−Ｆｉピアツーピア接続されたシンクデバイスの各々に前記特定のマルチメディアコンテンツを送信することと
を装置に行わせるコードを備える非一時的コンピュータ可読媒体。
［Ｃ２８］
実行されたとき、前記装置において開始された要求、前記シンクデバイスにおいて開始された要求、および前記シンクデバイスの不十分な能力のうちの少なくとも１つに基づいて、前記関連付けられたグループセッションＩＤから前記Ｗｉ−Ｆｉピアツーピア接続されたシンクデバイスのうちの１つまたは複数を追加または削除することを装置に行わせるコードをさらに備え、ここにおいて、前記シンクデバイスの前記不十分な能力は、少なくとも、それがセッションタイプをサポートすることができないこと、またはコンテンツストリーミングのために使用されるべき前記ストリーミングパラメータのうちの少なくとも１つをサポートすることができないことを含む、Ｃ２７に記載の媒体。
［Ｃ２９］
前記Ｗｉ−Ｆｉピアツーピア接続を確立することが、Ｗｉ−Ｆｉディスプレイデバイス発見情報の交換を含み、ここにおいて、前記Ｗｉ−Ｆｉディスプレイデバイス発見情報が、少なくとも、前記装置のグループセッション能力の指示、グループセッション管理制御ポートデータのセット、グループセッションタイプ、およびコンテンツストリーミングのために使用されるべきストリーミングパラメータのセットを備える、Ｃ２７に記載の媒体。
［Ｃ３０］
少なくとも前記Ｗｉ−Ｆｉディスプレイデバイス発見情報のサブセットが、あらかじめ確立されたＷｉ−Ｆｉピアツーピア接続上で、Ｗｉ−Ｆｉ  Ｄｉｒｅｃｔサービス規格のアプリケーションサービスプラットフォームを通してさらに交換される、Ｃ２９に記載の媒体。